(57)【要約】【課題】液化ガスのタンクの上部に覆う軽量被覆材上に盛土された植栽用土を、その全域において風雨などにより浸食されないように保持できるようにする。【解決手段】地下タンク構造１０において、タンク本体２０の上面の外周に沿って筒状に立設された擁壁２６の内部に軽量被覆材５１が充填され、軽量被覆材５１の上部に遮水シート３３が敷設され、遮水シート３３の上部に植栽用土３０が覆土されており、植栽用土３０内にはネット３５が埋設されており、ネット３５は遮水シート３３に取り付けられた保持具３２により保持されている。【選択図】図２
2010052740.tif 000002
【特許請求の範囲】
【請求項１】
地下に少なくとも下部が埋設された状態で構築された地下タンク構造であって、
鉄筋コンクリート造のタンク本体と、
前記タンク本体の上部に設けられた被覆材と、
前記被覆材の上部に敷設された遮水シートと、
前記遮水シートの上部に覆土された覆土層と、を備え、
前記覆土層には網状部材が設けられており、前記網状部材は前記遮水シートに取り付けられた保持具により保持されていることを特徴とする地下タンク構造。
【請求項２】
請求項１記載の地下タンク構造であって、
前記保持具は、シート状に形成されたシート部と、フック状に形成され、前記シート部に立設されたフック部と、を備え、
前記シート部が前記遮水シートに貼付され、前記網状部材は前記フック部に引掛けられて保持されていることを特徴とする地下タンク構造。
【請求項３】
請求項１又は２記載の地下タンク構造であって、
前記遮水シート及び前記保持具は熱可塑性樹脂からなり、
前記保持具は前記遮水シートに加熱溶着されていることを特徴とする地下タンク構造。
【請求項４】
請求項１から３のうち何れか１項に記載の地下タンク構造であって、
前記遮水シートの上部に導水シートが敷設されていることを特徴とする地下タンク構造。
【発明の詳細な説明】
【技術分野】
【０００１】
本発明は、液化ガスを貯蔵するための下部が地中に埋設された地下タンク構造に関する。
【背景技術】
【０００２】
従来より、ＬＰＧ，ＬＮＧなどの液化ガスの貯蔵タンクとして、底部と、底部の周囲に沿って構築された側壁と、側壁の上部を覆う屋根部とからなり、少なくともその下部が地中に埋設されるように構築されたタンクが用いられている。かかる貯蔵タンクは、タンクの上部が地表に露出していると威圧感があるため、タンク上部が埋設されるように盛土及び覆土を施す方法が広く用いられている。
【０００３】
しかしながら、このようにタンク上部に覆土を施す方法では、覆土に用いられる土砂の重量が大きく、その荷重を支持することができるように、屋根部を強固に構築しなければならない。そこで、例えば、特許文献１には、タンクの屋根部に作用する荷重を削減するべく、タンクの直上部分に例えば発泡スチロールや発泡ウレタンフォームなどの軽量被覆材を配置する方法が記載されている。この方法では、周辺の盛土部分からの雨水の浸入により軽量被覆材が浮き上がることを防止することを目的としてタンク外縁を擁壁で囲っている。
【特許文献１】特開平４―２３６８９９号公報
【発明の開示】
【発明が解決しようとする課題】
【０００４】
ここで、上記のようにタンクの屋根部の上部に配置された軽量被覆材の上部には、遮水シートが敷設され、遮水シートの上方には遮水シートの損傷を防止するため植栽用土が敷き均される。このような植栽用土は、タンクに作用する荷重が増加しないように、薄層であることが好ましい。しかし、植栽用土は薄層に形成すると風雨により浸食されやすいので、植栽用土内にネットを埋設し、植栽用土をこのネットにより固定することが行われている。
【０００５】
しかしながら、植栽用土を固定するためのネットを固定する箇所としては、例えば、タンクの上方中央に設けられた突出部などに限られてしまうため、軽量被覆材が配置された領域の上部全体の植栽用土をネットにより固定することができなかった。
【０００６】
本発明は、上記の問題に鑑みなされたものであり、その目的は、液化ガスのタンクの上部を覆う軽量被覆材上に盛土された植栽用土を、その全域において風雨により浸食されないように保持できるようにすることを目的とする。
【課題を解決するための手段】
【０００７】
本発明の地下タンク構造は、地下に少なくとも下部が埋設された状態で構築された地下タンク構造であって、鉄筋コンクリート造のタンク本体と、前記タンク本体の上部に設けられた被覆材と、前記被覆材の上部に敷設された遮水シートと、前記遮水シートの上部に覆土された覆土層と、を備え、前記覆土層には網状部材が設けられており、前記網状部材は前記遮水シートに取り付けられた保持具により保持されていることを特徴とする。
【０００８】
上記の地下タンク構造において、前記保持具は、シート状に形成されたシート部と、フック状に形成され、前記シート部に立設されたフック部と、を備え、前記シート部が前記遮水シートに貼付され、前記網状部材は前記フック部に引掛けられて保持してもよい。
【０００９】
また、前記遮水シート及び前記保持具は熱可塑性樹脂からなり、前記保持具は前記遮水シートに加熱溶着されていてもよい。また、前記遮水シートの上部に導水シートが敷設されていてもよい。
【発明の効果】
【００１０】
本発明によれば、タンク上部全体に亘って敷設された遮水シートに保持具を取り付け、この保持具により植栽用土と一体となったネットを保持することとしたため、タンクの上部に配置された軽量被覆材の上部全領域の植栽用土をネットにより保持することが可能となる。
【発明を実施するための最良の形態】
【００１１】
以下、本発明の地下タンク構造の一実施形態を図面を参照しながら、詳細に説明する。
図１は、本実施形態の貯蔵タンク構造１０を示す鉛直断面図であり、図２は、貯蔵タンク構造１０の上部の構成を示す鉛直断面図である。図１及び図２に示すように、本実施形態の地下タンク構造１０は、ＬＰＧやＬＮＧなどの液化ガスを貯蔵するためのものであり、地中に円筒形に形成された地中連続壁１１と、地中連続壁１１の内部に地中連続壁１１と一体となるように構築された地下タンク本体２０と、地下タンク本体２０の側壁２１の上部に構築された擁壁２６と、擁壁２６の内部の地下タンク本体２０の上部に軽量被覆材５１が積まれてなる被覆材層５０と、被覆材層５０の上部に構築された覆土層３０とにより構成される。
【００１２】
地下タンク本体２０は、底部に排水砕石層２２及び底部ヒータ２３を介して構築されたコンクリート製の底版２４と、底版２４の周囲に一体に、かつ、地中連続壁１１と一体に構築された側壁２１と、側壁２１の頂部に一体にドーム状に構築されたコンクリート製の屋根部２５とにより構成される。屋根部２５の頂部は、盛土１２によりかさ上げされる前の地表高さ（図中破線で示す）に比べて上方に位置するように構築されている。
【００１３】
地下タンク本体２０の内周面にはメンブレンなどの保冷材が取り付けられており、地下タンク本体２０の断熱性を保つようにしている。また、地中連続壁１１の外周部には側部ヒータ４０が埋設され、底版２４の下方に埋設された底部ヒータ２３とともに周囲の地盤の凍結を防止している。
【００１４】
地中連続壁１１は、上下方向にかさ上げ前の地表高さから地下タンク本体２０の底版２４近傍に亘って構築されている。この地中連続壁１１は地下タンク本体２０を構築する際に、土留め壁として用いられたものである。
【００１５】
擁壁２６は地下タンク本体２０の側壁２１の上部の外周に沿って構築された円筒状の鉄筋コンクリート壁からなる。擁壁２６は、下端が側壁２１の上部と一体となり、上端が地下タンク本体２０の上部に設けられた覆土層５０の上面から突出するように構築されており、周囲の地盤と地下タンク本体２０の上部の空間とを仕切るものである。擁壁２６の外部には擁壁２６の頂部近傍の高さまで盛土１２が施されている。
【００１６】
擁壁２６の内部には、例えば直方体形状に形成された発泡スチロールなどの軽量被覆材５１が積層されてなる被覆材層５０が形成されている。さらに、被覆材層５０の上部には植栽用土３１が盛土されてなる覆土層３０が形成されている。
【００１７】
図３は、覆土層３０の構成を示す図である。同図に示すように、覆土層３０は、被覆材層５０の上部に敷設された遮水シート３３と、遮水シート３３の上部に敷設された導水シートと、遮水シート３３と一体となった保持具３２と、保持具３２により保持されたネット３５と、ネット３５により保持された植栽用土とにより構成される。
【００１８】
遮水シート３３は例えば、ポリエチレン系樹脂などの熱可塑性樹脂からなり、遮水性を有する。雨天時には植栽用土３１内に雨水が浸透するが、遮水シート３３により雨水が被覆材層５０まで到達するのが防止される。
【００１９】
導水シート３４は、例えば、不織布などを用いることができ、内部に浸透した雨水などを一面に浸透させて保水し、その面全体から植栽用土３１へ水分を供給する機能を有する。
【００２０】
保持具３２は、遮水シート３４上に平面視において略１ｍ間隔で固定されており、ネット３５を固定するためのものである。図４は、保持具３２を示す斜視図である。同図に示すように、保持具３２は、シート状の融着部３２Ａと、フック状に形成され、融着部３２Ａに立設されたフック状部３２Ｂとにより構成される。これら融着部３２Ａ及びフック状部３２Ｂは遮水シート３３と同様の材料（すなわち、ポリエチレン系樹脂などの熱可塑性樹脂）からなり、融着部３２Ａが遮水シート３３の表面に熱融着されることにより固定されている。なお、保持具３２は、予め、遮水シート３３に取り付けておいてもよいし、遮水シート３３を敷設した後にその表面に取り付けてもよい。
【００２１】
ネット３５は、ポリエチレン製の２〜４ｃｍ間隔のメッシュ状の部材からなり、その一部が遮水シート３３の表面に取り付けられた保持具３２のフック状部３２Ｂの内側に収容されることにより、保持具３２を介して遮水シート３３に保持されている。ネット３５には、植栽用土３１に植栽された植生が絡み付き、これにより、植栽用土３１がネット３５と一体となっている。なお、本実施形態では、ネット３５により植栽用土３１を保持する構成としているが、植栽用土の表面をネットで覆う構成としても、植栽用土を保持することができる。
【００２２】
かかる構成より、地下タンク構造１０の上部に強風等が吹いた場合であっても、遮水シート３３に固定された保持具３２がネット３５を保持するため、ネット３５と一体となった植栽用土３１が浸食されるのを防止できる。
【００２３】
本実施形態によれば、植栽用土３１を保持するためのネット３５を固定する保持具３２を遮水シート３３に取り付けることとしたため、被覆材層５０の上部全体に亘ってネット３５を固定することができる。これにより、植栽用土３１の浸食を防止することができ、遮水シート３３を保護することができる。
【００２４】
また、保持具３２及び遮水シート３３を熱可塑性樹脂からなるものとしたため、保持具３２を遮水シート３３に熱溶着することができ、遮水シート３３に開口を設けることなく、保持具３２を取り付けることができる。
【００２５】
なお、本実施形態では、保持具３２を構成する融着部３２Ａ及びフック状部３２Ｂを熱可塑性樹脂により構成するものとしたが、これに限らず、少なくとも融着部３２Ａが熱可塑性樹脂により構成されていれば、遮水シート３３に熱融着させることができる。
【００２６】
また、保持具３２は必ずしも熱融着により遮水シート３３に固定する必要はなく、接着剤などを用いて遮水シート３３に固定することとしてもよい。
また、保持具３２は図４に示すフック形状に限らず、ネット３５に引っ掛けられて、ネット３５を固定できるものであればよい。
【図面の簡単な説明】
【００２７】
【図１】本実施形態の貯蔵タンク構造物を示す鉛直断面図である。
【図２】貯蔵タンク構造の上部の構成を示す鉛直断面図である。
【図３】覆土層の構成を示す図である。
【図４】保持具を示す斜視図である。
【符号の説明】
【００２８】
１０  地下タンク構造
１１  地中連続壁
１２  盛土
２０  タンク本体
２１  側壁
２２  排水砕石層
２３  ヒータ
２４  底版
２５  屋根部
２６  擁壁
３０  覆土層
３１  植栽用土
３２  保持具
３２Ａ  融着部
３２Ｂ  フック状部
３３  遮水シート
３４  導水シート
３５  ネット
４０  ヒータ
５０  被覆材層
５１  軽量被覆材
【図１】
2010052740.tif 000003
【図２】
2010052740.tif 000004
【図３】
2010052740.tif 000005
【図４】
2010052740.tif 000006